(57)【要約】【課題】メニューシートに印刷された複数のコード情報（ＯＩＤコード）と、商品毎に付された商品識別情報（メニューコード）と、音声ファイルとの紐付けを容易且つ正しく行える管理装置、及びプログラムを提供すること。【解決手段】メニューシート２００のイメージデータＧ１と、複数のコード情報Ｇ２とを目視可能に管理装置１０の表示部１７に重畳表示する（ステップＳＴ２−２）。重畳表示した複数のコード情報Ｇ２とイメージデータＧ１の特定領域（例えばＲ１）を指定する（ステップＳＴ２−３）。指定した特定領域に商品識別情報と音声データとを紐付ける（ステップＳＴ２−４，５）。紐付けた特定領域の表示態様を他の領域の表示態様と異ならせて表示する（例えば色彩を異ならせる）。表示部１７には紐付けた音声データを目視可能に表示する。【選択図】図１２
2018088072.tif 000002
【特許請求の範囲】
【請求項１】
注文に関わる設定及びデータを管理する管理装置において、
商品を一意に特定する商品識別情報と、
前記商品を注文する際に用いられるメニューシート上に形成された複数のコード情報と、
前記商品のイメージ画像又は文字が複数配置され客が注文する際に用いる前記メニューシートのイメージデータと、
前記複数のコード情報と、前記イメージデータとを目視可能に重畳表示する表示手段と、
前記重畳表示した複数のコード情報とイメージデータの特定領域を指定し、前記指定した特定領域に前記商品識別情報を紐付ける割当手段と、
を備え、
前記表示手段は、前記商品識別情報が紐付けられた特定領域を他の領域と表示態様を異ならせて表示することを特徴とする管理装置。
【請求項２】
前記割当手段は、所定の音声データを前記商品識別情報が紐付けられた特定領域に紐付け、
前記表示手段は、前記紐付けた音声データを目視可能に表示することを特徴とする請求項１に記載の管理装置。
【請求項３】
前記商品識別情報が紐付けられた特定領域に重畳して紐付けられた音声データを再生する再生手段を備えたことを特徴とする請求項１又は２に記載の管理装置。
【請求項４】
注文に関わる設定及びデータを管理する管理装置としてのコンピュータを、
商品を注文する際に用いられるメニューシート上に形成された複数のコード情報と、前記商品のイメージ画像又は文字が複数配置され客が注文する際に用いる前記メニューシートのイメージデータとを目視可能に重畳表示する表示手段と、
前記重畳表示した複数のコード情報とイメージデータの特定領域を指定し、前記指定した特定領域に、商品を一意に特定する商品識別情報を紐付ける割当手段と、
として機能させ、
さらに前記表示手段は、前記商品識別情報が紐付けられた特定領域を他の領域と表示態様を異ならせて表示するように機能させるプログラム。
【発明の詳細な説明】
【技術分野】
【０００１】
本発明は、注文に関わる設定及びデータを管理する管理装置、及びプログラムに関するものである。
【背景技術】
【０００２】
従来、飲食店等においては、メニューシートに印刷された複数の商品（写真や文字等）の内、客が所望する商品をペン型（タッチペン型）の注文入力端末でタッチすることで、その注文を行う方法が用いられている（例えば特許文献１参照）。この種のペン型の注文入力端末は一般に小型軽量で扱い易い代わりに表示部を備えておらず、入力操作を行ったときに、音声によって注文した商品を読み上げ、これによって注文商品が確認できるようになっている。またこの種の注文システムにおいては、注文を客から聞いて接客係が入力操作を行う場合と、客自らが入力操作を行う場合とがある。注文入力端末で読み取られた商品の情報は、管理装置（オーダコントローラ）に無線送信され、管理装置からその商品の情報が厨房のキッチンプリンタやキッチンモニタ等に送信され、調理作業者に調理が指示される。
【０００３】
一方、前記メニューシートには、印刷された商品（写真）の部分に目に見えないように重ねて特定のコード情報（ＯＩＤコード）が印刷されている。そしてこのコード情報を前記注文入力端末が読み取ることで、この注文入力端末内に予め登録（記憶）されている前記各コード情報に対応する商品（商品識別情報、メニューコード情報）が検索されて読み出され、この商品のデータが管理装置へ送信される。以上のことから、メニューシートに印刷されたコード情報と、上記注文入力端末内に登録（記憶）されている商品（商品識別情報、メニューコード情報）とを予め紐付けて事前に正しく登録しておく必要がある。
【先行技術文献】
【特許文献】
【０００４】
【特許文献１】特開２００８−２７９６４９号公報
【発明の概要】
【発明が解決しようとする課題】
【０００５】
しかしながら、前記コード情報と商品（商品識別情報）の事前登録の際、間違えて紐付けしてしまったり、紐付けを失念してしまったりする可能性があった。また、注文時に発音させる音声データも一緒に紐付けていたが、この音声ファイルも間違えて紐付けてしまったり、紐付けを失念してしまったりする可能性があり、正しく紐付けられたかの確認や紐付けた音声を確認する術も無かった。そのため、客が注文したメニューと異なるメニューがオーダーされてしまったり、注文入力時に異なるメニューが発音されてしまったりする恐れが生じ、正しい注文ができない可能性があった。
【０００６】
本発明は上述の点に鑑みてなされたものでありその目的は、メニューシートに形成されたコード情報と、商品毎に付された商品識別情報との紐付けの間違いや紐付け漏れ、さらにはこれらと音声ファイルとの紐付けの間違いや紐付け漏れ等を効果的に防止することができる管理装置、及びプログラムを提供することにある。
【課題を解決するための手段】
【０００７】
本発明は、注文に関わる設定及びデータを管理する管理装置において、商品を一意に特定する商品識別情報と、前記商品を注文する際に用いられるメニューシート上に形成された複数のコード情報と、前記商品のイメージ画像又は文字が複数配置され客が注文する際に用いる前記メニューシートのイメージデータと、前記複数のコード情報と、前記イメージデータとを目視可能に重畳表示する表示手段と、前記重畳表示した複数のコード情報とイメージデータの特定領域を指定し、前記指定した特定領域に前記商品識別情報を紐付ける割当手段と、を備え、前記表示手段は、前記商品識別情報が紐付けられた特定領域を他の領域と表示態様を異ならせて表示することを特徴としている。
商品識別情報を紐付けた特定領域と、他の領域とを、異なる表示態様で区別して表示するので、商品識別情報が紐付けられている特定領域であるか否かの確認を容易に行うことができる。これによって商品識別情報の紐付け漏れを効果的に防止することができる。
【０００８】
また本発明は、前記割当手段が、所定の音声データを前記商品識別情報が紐付けられた特定領域に紐付け、前記表示手段が、前記紐付けた音声データを目視可能に表示することを特徴としている。
即ち、音声データを、文字や記号等の視覚表示手段で表示することによって、音声データの内容を目視可能とする。
これによって、音声データが、商品識別情報を紐付けた特定領域に紐付けられているか否かの確認と、紐付けた音声データの内容が正しいか否かの確認とを、容易に行うことができる。これによって、客が注文したメニューと異なるメニューがオーダーされることがなくなり、また客の注文時に間違えた音声でメニューを発音させることもなくなる。
【０００９】
また本発明は、前記商品識別情報が紐付けられた特定領域に重畳して紐付けられた音声データを再生する再生手段を備えたことを特徴としている。
これによって、音声データが、商品識別情報を紐付けた特定領域に正しく紐付けられているか否かの確認と、紐付けた音声データの内容が正しいか否かの確認とを、音声によって容易に行うことができる。これによって、客が注文したメニューと異なるメニューがオーダーされることがなくなり、また客の注文時に間違えた音声でメニューを発音させることもなくなる。
【００１０】
また本発明にかかるプログラムは、注文に関わる設定及びデータを管理する管理装置としてのコンピュータを、商品を注文する際に用いられるメニューシート上に形成された複数のコード情報と、前記商品のイメージ画像又は文字が複数配置され客が注文する際に用いる前記メニューシートのイメージデータとを目視可能に重畳表示する表示手段と、前記重畳表示した複数のコード情報とイメージデータの特定領域を指定し、前記指定した特定領域に、商品を一意に特定する商品識別情報を紐付ける割当手段と、として機能させ、さらに前記表示手段は、前記商品識別情報が紐付けられた特定領域を他の領域と表示態様を異ならせて表示するように機能させるプログラムである。
【図面の簡単な説明】
【００１１】
【図１】オーダリングシステム１の概略構成図である。
【図２】管理装置１０の機能ブロック図の一例を示す図である。
【図３】ＰＯＳ端末３０の機能ブロック図の一例を示す図である。
【図４】注文入力端末５０の機能ブロック図の一例を示す図である。
【図５】キッチンモニタ７０の機能ブロック図の一例を示す図である。
【図６】携帯端末９０の機能ブロック図の一例を示す図である。
【図７】メニューシート２００の一例を示す図である。
【図８】商品ファイル２５０の一例を示す図である。
【図９】音声ファイル３００の一例を示す図である。
【図１０】表示部１７のディスプレイ１７ａにメニューシート２００のイメージデータＧ１を表示した状態を示す図である。
【図１１】注文入力端末５０を用いた注文処理手順の一例を示すフロー図である。
【図１２】特定領域と商品識別情報と音声データとを紐付ける処理の概略処理フロー図である。
【図１３】イメージデータＧ１にコード情報Ｇ２を重畳表示した状態を示す図である。
【図１４】重畳表示したイメージデータＧ１とコード情報データＧ２の一部拡大図である。
【図１５】重畳表示したイメージデータＧ１とコード情報データＧ２の一部拡大図である。
【図１６】重畳表示したイメージデータＧ１とコード情報データＧ２の一部拡大図である。
【発明を実施するための形態】
【００１２】
以下、本発明の実施形態を図面を参照して詳細に説明する。
図１は本発明の一実施形態にかかる管理装置（オーダコントローラ）１０を用いて構成されるオーダリングシステム１の概略構成図である。同図に示すように、オーダリングシステム１は、管理装置１０と、会計装置（以下「ＰＯＳ端末」という）３０と、無線手段４０と、注文入力端末５０と、厨房端末７０と、アクセスポイント８０と、携帯端末９０とを具備し、各機器を通信可能に接続して構成されている。オーダリングシステム１は、例えば飲食店に設置される。
【００１３】
管理装置１０とＰＯＳ端末３０と無線手段４０と厨房端末７０とアクセスポイント８０は、互いにＬＡＮ１２０を介して接続されている。ＬＡＮ接続の形態は、有線であっても良いし、無線であっても良い。また注文入力端末５０と携帯端末９０は、それぞれ無線手段４０とアクセスポイント８０によってＬＡＮ１２０に接続されている。無線手段４０とアクセスポイント８０は１つの装置としても良い。管理装置１０は、オーダリングシステム１外の装置（例えば本部のサーバやクラウド）と通信するため、外部ネットワーク１３０と接続されている。
【００１４】
管理装置１０は、オーダリングシステム１全体を制御（管理）するコンピュータである。管理装置１０は、例えば、客により注文される商品（メニュー商品）を注文入力端末５０や携帯端末９０等から収集して注文管理テーブルとして管理すると共に、注文の内容を調理作業者に伝えるため厨房端末７０に注文データを送信して調理指示伝票を印刷させる。また下記するように、メニューシート２００を用いた注文に関わる設定及びデータを管理する。図２は管理装置１０の機能ブロック図の一例を示す図である。同図に示すように、管理装置１０は、ＣＰＵ１１と、ＲＯＭ１３と、ＲＡＭ１５と、表示部１７と、ハードディスク（記憶手段）１９と、操作部２１と、通信部２３と、再生手段２５とを有しており、これら各構成要素を互いにバス２７を介して接続して構成されている。ＣＰＵ１１は、ＲＯＭ１３に記憶された制御プログラムを実行することにより、管理装置１０の動作を制御する。ＲＯＭ１３は、前記制御プログラム等の各種情報（下記する図１２の処理をＣＰＵ１１で実行させる管理装置用のプログラムを含む）を記憶する。ＲＡＭ１５は、種々の情報を一時記憶する。表示部１７は、例えば液晶ディスプレイであり、管理装置１０を操作する店員に対して情報を表示する。ハードディスク１９は、種々のファイル（例えば商品ファイル、指示ファイル、印字フォーマットファイル、注文データファイル、会計ファイル等）等の各種情報を記憶する記憶手段である。操作部２１は、管理装置１０を操作する店員から種々の操作を受けるための各種キー等を有している。通信部２３は、ＬＡＮ１２０や外部ネットワーク１３０を介して外部の各種機器と通信するための通信インターフェースであり、記憶しているファイル（又はファイル上のデータ）を必要に応じて他の機器に送信する。例えば、飲食店チェーンの本社に設置された図示しないデータ管理サーバが、外部ネットワーク１３０を介して各店舗の管理装置１０から売上情報を収集して管理するようにしてもよい。再生手段２５は、音声データを再生して発声するスピーカ等によって構成されている。
【００１５】
ＰＯＳ端末３０は、注文処理や会計（精算）処理を実行する装置である。図３はＰＯＳ端末３０の機能ブロック図の一例を示す図である。同図に示すように、ＰＯＳ端末３０は、このＰＯＳ端末３０の動作を制御するＣＰＵ３１と、客の買上情報等を記憶するハードディスク３３と、ＣＰＵ３１が実行するプログラムを記憶するＲＯＭ３５と、種々の情報を記憶するＲＡＭ３７と、商品の名称や価格等を表示する表示部３９と、レシート印字部４１と、バーコードを光学的に読み取るスキャナ部（読取手段、会計用情報読取手段）４３と、ＬＡＮ１２０を経由して管理装置１０等の外部機器と通信する通信部４５と、ＰＯＳ端末３０を動作させる各種の操作ボタン等からなる操作部４７とを備えている。各構成要素は互いにバス４９を介して接続されている。ＲＡＭ３７には管理装置１０より取得した商品ファイル等が記憶されている。
【００１６】
注文入力端末５０は読取手段を有し、顧客自身の操作により（又は注文を取る店員の操作により）、少なくとも商品のコード情報が複数記録された下記するメニューシート２００からコード情報を読取手段で読み取ることによって商品を注文する携帯型（例えばペン型）の端末装置である。ペン型の注文入力端末５０の場合、その先端部分にメニューシート２００に記載されたコード情報を読み取る読取手段（スキャナ部、コードリーダ）が設けられている。商品の入力は、この読取手段でメニューシート２００上のコード情報を読み取ることによって行われる。注文入力端末５０によって入力され送信された注文データは、例えば近距離無線通信によって、無線手段４０に受信され、ＬＡＮ１２０を介して管理装置１０へ送信される。
【００１７】
注文入力端末５０は、各商品の名称や、商品に関する調理方法・食材等を説明するメニュー情報等を音声出力するための音声データを保持している。注文入力端末５０に商品が入力されると、注文入力端末５０は、該当する商品の名称やメニュー情報を音声として出力する。注文入力端末５０は、非使用時には、図示しないクレードルの装着口に装着される。クレードルに装着された注文入力端末５０には、管理装置１０から、当該装着された注文入力端末５０の記憶しているデータ（下記する商品ファイル２５０や音声ファイル３００等）の更新が行われる。
【００１８】
図４は注文入力端末５０の一構成例を示すブロック図である。同図に示すように注文入力端末５０は、ＣＰＵ５１とＲＯＭ５２とＲＡＭ５３とコードリーダ（読取手段）５４と音声合成回路５５と音声調整回路５５ａと無線通信部５７とＵＳＢ５８とモーションセンサ６１とをバス６３で接続し、また音声調整回路５５ａにスピーカ５６を接続し、さらにバッテリ５９とＬＥＤインジケータ６０とを具備して構成されている。ＲＯＭ５２とＲＡＭ５３を合わせて記憶手段と呼ぶ。また音声合成回路５５と音声調整回路５５ａとスピーカ５６を合わせて、音声データを再生する再生手段（報知手段）と呼ぶ。
【００１９】
ＣＰＵ５１は、ＲＯＭ５２からプログラムを読み込んで実行することによって注文入力端末５０の各部を制御する。ＲＯＭ５２は、ＣＰＵ５１が実行するプログラムを格納している記憶手段である。ただし、ＲＯＭ５２の一部分の記憶手段は、再書き込み可能なＲＯＭ（例えば、フラッシュＲＯＭ）である。例えば、この再書き込み可能なＲＯＭには、端末情報を記憶させる。端末情報は、当該注文入力端末５０の端末識別情報、テーブル番号、および伝票番号を含む。テーブル番号及び伝票番号は、商品の注文を特定するインデックス情報である。言い換えると、インデックス情報は、注文したメニューとその取引に関する情報とを関係付ける情報である。ＲＡＭ５３は、下記する商品ファイル２５０や音声ファイル３００等を格納するファイル記憶エリアと、ＣＰＵ５１が動作時に呼び出し、使用するデータを一時的に記憶する一時記憶エリアとを有した記憶手段である。一時記憶エリアには、端末識別情報、テーブル番号、伝票番号、コードリーダ５４で読み取ったコード情報、及び注文数量を含む注文データ、会計指令コード、担当者（接客係）コード、更に、音声データを音声出力する際の音量レベルを指示する音量制御情報等が記憶される。なお、音量レベルは、タッチされた回数等により変化するようになっている。
【００２０】
コードリーダ（読取手段）５４は、メニューシート２００の商品表示部分に重ねて一見すると見えないように印刷されているコード情報やファンクションコード、会計指令コード等の各種コードを赤外線により読み取る赤外線式読取手段である。コードリーダ５４は、注文入力端末５０のペン先端部分に設けられている。コードリーダ５４をメニューシート２００の所定箇所に当てる（或いは所定箇所をなぞる）ことによって、当該箇所に印刷されているコード情報の入力（読み取り）が行われる。
【００２１】
音声合成回路５５は、ＲＡＭ５３から読み出された音声データから音声波形を合成して音量調整回路５５ａへ出力するデジタル回路である。音量調整回路５５ａは、音声合成回路２０５からの音声をＲＡＭ５３の一時記憶エリアに設定されている音量制御情報に応じた音量レベルに調整してスピーカ５６へ出力するデジタル回路である。コードリーダ５４から商品のコード情報が入力されると、その商品に関する音声が音声合成回路５５によって音声合成され、音量調整回路５５ａによって設定された音量レベルに調整され、スピーカ５６からその音声が出力される。
【００２２】
無線通信部５７は、前記無線手段４０との間で注文データ等の無線通信を行う通信装置である。つまり、無線通信部５７は、コードリーダ５４で読み取ったコード情報及びインデックス情報を含む注文情報を管理装置１０に送信する送信部の機能を実現する。ＵＳＢ  Ｉ／Ｆ５８は、クレードルへの装着時に装着口奥のＵＳＢコネクタと接続されて、ＲＡＭ５３内のデータを更新するための通信を行う通信インターフェースである。
【００２３】
バッテリ５９は、注文入力端末５０の各部へ電力を供給する充電式の内蔵電池であり、クレードルへの装着時に充電が行われる。バッテリ５９の電池残量は、ＬＥＤインジケータ６０に表示される。
【００２４】
モーションセンサ６１は、注文入力端末５０自体の状態の変化を検出する検出部である。注文入力端末５０自体の状態とは、例えば、注文入力端末５０の動きの状態である。モーションセンサ６１は、例えば、加速度センサであり、注文入力端末５０が持ち上げられたり動かされたりすることによる注文入力端末５０の動きの変化を検出する。モーションセンサ６１が注文入力端末５０自体の状態の変化を検出することにより、当該注文入力端末５０の操作者による使用の有無を判断することができる。なおこの注文入力端末５０は、例えば、図示しないカールコードによって、メニューシート２００に連結され、各テーブル等にそれぞれ設置されている。
【００２５】
厨房端末７０はこの例ではキッチンモニタであるが、キッチンプリンタでも良い。図５はキッチンモニタ７０の構成の一例を示す概略ブロック図である。同図に示すようにキッチンモニタ７０は、ＣＰＵ７１と、ＲＯＭ７３と、ＲＡＭ７５と、タッチパネル（表示兼操作部）７７と、通信部７９とを、バス８１によって相互に接続して構成されている。ＣＰＵ７１は、各種プログラムを実行する。ＲＯＭ７３は、例えば、ＣＰＵ７１において実行される各種プログラムや、タッチパネル７７において表示される画像データ（画像フォーマット情報）等を記憶する。ＲＡＭ７５は、オーダコントローラ１０等から受信した各種ファイルやデータ等を一時記憶する。タッチパネル７７は、注文された商品の調理指示や、完了させた調理指示に対応する商品の配膳指示等を表示する表示手段であり、同時に調理の完了した商品や配膳の完了した商品にタッチすることでその完了を入力する入力手段である。通信部７９は、他の装置と送受信を行うものである。
【００２６】
図６は携帯端末９０の構成の一例を示す機能ブロック図である。同図に示すように携帯端末９０は、ＣＰＵ９１と、ＲＯＭ９３と、ＲＡＭ９５と、タッチパネル（表示手段兼操作手段）９７と、通信部９９と、操作ボタン部１０１とを、バス１０３によって相互に接続して構成されている。ＣＰＵ９１は各種プログラムを実行する。ＲＯＭ９３は、例えば、ＣＰＵ９１において実行された各種プログラムや、タッチパネル９７において表示される画像データ（画像フォーマット情報）等を記憶する。ＲＡＭ９５は、例えばオーダコントローラ１０から受信した各種ファイル（例えば下記する商品ファイル２５０）や、ＣＰＵ９１が生成したデータを一時記憶する。タッチパネル９７は、表示手段であり、同時にタッチすることで注文する商品を選択する選択手段（入力手段）となっている。通信部９９はアクセスポイント８０を経由して他の装置（オーダコントローラ１０や注文入力装置５０やキッチンモニタ７０等）と送受信を行う送受信手段である。操作ボタン部１０１は、例えば電源スイッチボタンや操作ボタン等から構成され、操作者である店員からの入力操作を受け付ける。操作ボタン部１０１も、前記タッチパネル９７と同様、選択手段（入力手段）の一部を構成する場合がある。
【００２７】
図７は、メニューシート２００の一例を示す図である。同図に示すように、メニューシート２００は、商品の一覧が記載され、客が注文する商品を選択する際に使用される。メニューシート２００には、メニューエリア２０１とファンクションキーエリア２０３とを設けている。メニューエリア２０１には、各種の商品の写真と名称とその値段が記載（印刷）されている。また商品によってはその調理方法（例えばステーキの場合、焼き方はレアかミディアムかウェルダンか）や選択可能なサイドディッシュ（例えばベイクドポテト、フレンチフライ、温野菜等）、飲み物の提供タイミング（食前か食後か）等の調理指示情報を記載してもよい。そして、商品の写真と名称等を印刷した部分（又はその近傍）には、当該記載内容を所定の方式でコード化した、赤外線で読み取り可能なコード情報が形成されている。コード情報は、上記各商品の写真等の上面（又はその近傍の所定位置）に、目に見えない特殊なドットのパターン〔ＯＩＤコード（オプティカルＩＤコード）〕を印刷した透明なシートを貼付することによって形成される。即ち、シート面を最小単位の縦横寸法でマトリックス（例えば長方形状からなる領域）に細分化し、この細分化されたそれぞれの領域内にドットコードが印刷されており、この印刷されたドットコードそれぞれはユニークな番号（例えば連番等）になっている。なおコード情報は、上記各商品の写真等を印刷したその上面（又はその近傍の所定位置）に、直接印刷することによって形成してもよい。このコード情報は、注文入力端末５０のペン先端部（コードリーダ５４）をタッチすることで読み取られ、注文入力端末５０に注文内容として入力される。一方、ファンクションキーエリア２０３には、「０」〜「８」の数字や、「今回の注文確認」、「注文する」、「直前取消」、「今回注文取消」、音の「大」「小」等の各種ファンクションキーが記載（印刷）されており、これら各ファンクションキーを印刷した部分（又はその近傍）にも、上記の赤外線読み取り可能なコード情報が同様に形成されている。注文入力端末５０のコードリーダ５４で注文する商品を入力していく際、ファンクションキーの読み取り入力と組み合わせながら、注文の入力を行っていく。各商品やファンクションキーを示すコード情報は、例えば、１枚のメニューシート２００全体にマトリクス状にコード情報を表示しておき、所定の商品を表示した部分に対応する面（特定領域）に位置する全てのコード情報（特定領域内における全てのコード情報）を１つの商品に対応させるように構成しているが、例えば、１つの商品に対して１つのコード情報を設けても良い。
【００２８】
図８は、商品ファイル２５０の一例を示す図であり、前記注文入力端末５０のＲＡＭ５３に記憶される。商品ファイル２５０には、少なくとも、商品を一意に特定する識別番号である商品識別情報（メニューコード情報、管理装置１０側が管理する番号、ＰＬＵ番号）と、商品名と、価格等の他に、各商品識別情報に対応するコード情報（注文入力端末５０がメニューシート２００からスキャンするコード情報、ＯＩＤ番号）が、商品識別情報毎（商品毎）に記録されている。
【００２９】
図９は、音声ファイル３００の一例を示す図である。音声ファイル３００は、各コード情報とそれらの音声データとを対応付けて記録したファイルである。音声データと対応付けられるコード情報は、メニューシート２００のメニューエリア２０１に表示された商品等用のコード情報だけではなく、ファンクションキーエリア２０３に表示された各種ファンクションキー用のコード情報も含まれる。
【００３０】
図１１は、注文入力端末５０を用いた飲食店の注文処理手順の一例を示すフロー図である。同図に示すように、飲食店に客が来店すると、店員はクレードルに装着されている注文入力端末５０を１つ取り出し、客をテーブルに案内する（ステップＳＴ１−１）。次に、店員は、注文入力端末５０のコードリーダ５４でテーブル番号と担当者コードとを読み取って、注文入力端末５０のＲＯＭ５３に記憶させる（ステップＳＴ１−２）。テーブル番号は客の案内されたテーブルを識別する番号であり、例えばそのテーブル近傍の何れかの場所に印刷されている。また担当者コードは店員を識別する番号であり、例えば店員の所持しているスタッフシートに印刷されている。次に、店員は、注文入力端末５０を客に渡し（ステップＳＴ１−３）、メニューシート２００から商品の注文を行わせるように促す。客は、メニューシート２００を見て、注文したい商品を選択し、メニューシート２００の当該商品を表示している部分やファンクションキーの部分に注文入力端末５０のコードリーダ５４をタッチしてそのコード情報を読み取り（スキャンし）、入力させる。このとき、注文入力端末５０は、入力された商品名称等をスピーカ５６から音声で出力する。客は必要に応じ、音声による報知内容を参考にメニューの変更を行うこともできる。注文したい商品を全て入力し終わったら、客はメニューシート２００のファンクションキーエリア２０３にある「注文する」の部分をコードリーダ５４に読み取らせる。これにより、注文入力端末５０は注文データを生成し、管理装置１０へ送信する（ステップＳＴ１−４）。注文データを受信した管理装置１０は、注文管理ファイルに順次追加し記憶すると共に、キッチンモニタ７０に当該注文データを送信して調理指示伝票を発行させる（ステップＳＴ１−５）。調理指示伝票を受けた調理作業者は調理を行い、調理済みの注文商品がテーブルへ配膳される（ステップＳＴ１−６）。飲食終了後、注文入力端末５０は、会計の指示を管理装置１０へ送信し、それを受けた管理装置１０はＰＯＳ端末３０に会計情報（請求書）を印刷させ、精算を行い、使用された注文入力端末５０を回収する（ステップＳＴ１−７）。
【００３１】
次に、メニューシート２００に表示した各種商品等の商品識別情報と、このメニューシート２００上に重畳表示したコード情報とを紐付けて設定・記憶する方法について説明する。この例では、この設定を管理装置１０において行うが、その代わりに例えばＰＯＳ端末３０や、さらにその他の端末において行っても良い。ＰＯＳ端末３０やその他の端末において上記設定を行う場合は、その設定を行う装置が本発明でいう管理装置ということになる。
【００３２】
図１２は、管理装置１０において、メニューシート２００のイメージデータとコード情報の特定領域と、商品識別情報と音声データとを紐付ける処理の概略処理フロー図である。即ちまず、図１０に示すように、管理装置１０の表示部１７のディスプレイ１７ａに、設定を行おうとするメニューシート２００のイメージデータＧ１を表示する（ステップＳＴ２−１）。表示するイメージデータＧ１は、メニューシート２００に表示されるイメージ画像や文字が複数配置されたデータである。このイメージデータＧ１は、管理装置１０や他のパソコン上で作成したり、スキャンによって取り込んだりすることで、管理装置１０のハードディスク１９やＲＡＭ１５に記憶しておいたデータである。
【００３３】
次に、図１３に示すように、ディスプレイ１７ａに表示したイメージデータＧ１に、複数のコード情報（コード情報の画像）Ｇ２を目視可能に重畳表示する（ステップＳＴ２−２）。複数のコード情報Ｇ２の画像は、各ＯＩＤコード番号の領域毎のマス目をマトリクス状に目視可能に表示したものである。図１４は、ディスプレイ１７ａに重畳表示されたイメージデータＧ１と複数のコード情報Ｇ２の一部拡大図である。図１３では記載を省略しているが、図１４に示すように、各マス目内にはＯＩＤコード番号が目視可能に表示されている。なお、図１４に示す各マス目にはそれぞれＯＩＤコード番号が表示されているが、図示の都合上、一部についてのみその記載を行っている。複数のコード情報Ｇ２を構成するマス目の大きさのパターンは、大きいものと小さいものとを予め複数種類用意しておき、必要に応じてマス目の大きさを変更して重畳するように構成しても良い。
【００３４】
次に、上記イメージデータＧ１とコード情報Ｇ２の特定領域を指定する（ステップＳＴ２−３）。即ち、例えば商品「しゅうまい」の領域（特定領域）（下記するＲ１）を指定する場合は、まず商品名「しゅうまい」と、音声種別（例えば、男性の音声、女性の音声、日本語、英語、中国語、韓国語等）と、音声内容（例えば「シュウマイ」）等をそれぞれ設定する。このときの音声種別と音声内容が音声データになる。次に、例えば図１５に示すように、商品「しゅうまい」の領域（特定領域）Ｒ１の左上のマス目（コード番号２０２６）にカーソルをポイントしてクリックしながら右下のマス目（コード番号２２２４）までドラッグする。そしてこの領域を例えば図示しないマウスやキーボードを用いて確定すれば、その特定領域Ｒ１が指定される。指定されたコード情報（ドットコード）は、図に示す例では、「２０２６〜２０３２、２０５０〜２０５６、２０７４〜２０８０、２０９８〜２１０４、２１２２〜２１２８、２１４６〜２１５２、２１７０〜２１７６、２１９４〜２２００、２２１８〜２２２４」となる。コード情報を確定すると、商品「しゅうまい」の商品識別情報「３３０」と、前記指定した特定領域Ｒ１内の全てのコード情報「２０２６・・・２２２４」とが紐付けられ、これを商品ファイル２５０に記録する（ステップＳＴ２−４）。同時に、確定した特定領域Ｒ１内の全てのコード情報と前記音声データとが紐付けられ、これを音声ファイル３００に記録する（ステップＳＴ２−５）。これらステップＳＴ２−３〜ＳＴ２−５のステップを実行するプログラム及びＣＰＵ１１等を割当手段という。即ち割当手段は、重畳表示したイメージデータＧ１とコード情報Ｇ２の特定領域Ｒ１を指定し、指定した特定領域Ｒ１に商品識別情報と音声データを紐付ける手段である。
【００３５】
そして、この指定した特定領域Ｒ１の表示態様（具体的にはその領域の色彩）を、他の領域の表示態様と異ならせて表示する（ステップＳＴ２−６）。例えば、ディスプレイ１７ａに表示した本来のイメージデータＧ１の色彩に対して、この特定領域Ｒ１の色彩だけを赤色で表示する。これによって、その特定領域Ｒ１においては、イメージデータＧ１とコード情報Ｇ２と音声データとが紐付けられていることを、視覚的に明確に判断することができる。引き続き、商品「餃子」の領域（特定領域）Ｒ２や、商品「春巻」の領域（特定領域）Ｒ３等を指定して紐付けを行う場合は、ステップＳＴ２−７からステップＳＴ２−３に移行し、上記と同様の工程を行う。なおこの例の場合、指定された特定領域Ｒ１、Ｒ２，Ｒ３の表示態様同士も異ならせている。即ち例えば、特定領域Ｒ１は赤色、特定領域Ｒ２はオレンジ色、特定領域Ｒ３は緑色等にする。このように構成すれば、各特定領域の範囲を視覚的により明確に表示することができる。特に隣り合う特定領域について、その表示態様（色彩）を異ならせれば、各特定領域の境がはっきり表示できるので、好適である。
【００３６】
以上の操作を、１枚のメニューシート２００全体に表示されている各商品毎の領域において繰り返し行うことで、すべての紐付け作業を完了する（ステップＳＴ２−７）。なおこの例の場合、メニューシート２００のファンクションキーエリア２０３の部分については、予め各キー部分の識別情報とコード情報と音声データとの紐付けを固定して登録しているので、メニューシート２００が変更される度に紐付けを行う必要はないが、その代わりに、上記各商品毎の紐付け作業と同様の紐付け作業を行うことで、ファンクションキーエリア２０３について紐付けを行っても良い。なお、上記紐付けにおいて、領域指定されなかった領域は、注文入力端末５０を接触しても、商品識別情報と紐付けがなされていないため、何も注文されないこととなる。
【００３７】
上記例では、指定した特定領域Ｒ１の表示態様を、他の領域の表示態様と異ならせて表示するために、色彩を異ならせたが、本発明はこれに限らず、表示態様が異なるものであればどのような構成でもよく、例えば、メニューシート２００のイメージデータＧ１の画像を当初は表示せず、複数のコード情報Ｇ２のみを表示し、特定領域が指定されると、その領域の部分だけイメージデータＧ１の画像を表示したり、イメージデータＧ１の画像を白黒で表示し、特定領域が指定されたら、その領域の部分だけ白黒を逆転して表示する等しても良い。
【００３８】
以上説明したように、ディスプレイ１７ａに、商品識別情報を紐付けた特定領域と、他の領域とを、異なる表示態様で区別して表示するので、商品識別情報が紐付けられている特定領域であるか否かの確認を容易に行うことができる。これによって商品識別情報の紐付け漏れを確実に防止できる。
【００３９】
次に、以上のようにして紐付け作業を行ったディスプレイ１７ａの表示面において、前記紐付けが正しく行われているか否かを確認する方法について説明する。即ち、図１６に示すように、画面上の例えば「しゅうまい」で紐付けた特定領域Ｒ１中の何れかの位置に、マウスポインタをポイントすると、短冊状の紐付け確認画面Ｓ１が表示される。紐付け確認画面Ｓ１中には、商品識別情報「３３０」や、音声データの発声内容「シュウマイ」や、音声コード等が表示される。このように、表示手段であるディスプレイ１７ａの表示面に音声データを目視容易に、文字や記号等の視覚表示手段で表示するので、音声データが、商品識別情報を紐付けた特定領域に紐付けられているか否かの確認と、音声データの内容が正しいか否かの確認とを、容易に行うことができる。これによって、客が注文したメニューと異なるメニューがオーダーされることがなくなり、また客の注文時に間違えた音声でメニューを発音させることがなくなり、客は確実且つスムーズに注文入力することが可能になる。
【００４０】
また前記ディスプレイ１７ａに表示した画面の例えば特定領域Ｒ１中の何れかの位置にマウスポインタをポイントしてクリックすると、その特定領域Ｒ１に紐付けられた音声データ「シュウマイ」が、再生手段２５によって再生されて発声される。これによって、音声データの内容が正しいか否かの確認を、聴覚によって容易に行うことができる。
【００４１】
なお、以上に説明した管理装置及び管理装置を用いたシステムを実現するためのプログラムを、コンピュータ読み取り可能な記録媒体に記録し、そのプログラムをコンピュータシステムに読み込ませて実行するように構成しても良い。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶媒体のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。また、上記プログラムは、このプログラムを記憶装置等に格納したコンピュータシステムから、伝送媒体を介して、あるいは、伝送媒体中の伝送波により他のコンピュータシステムに伝送されても良い。ここで、プログラムを伝送する「伝送媒体」は、インターネット等のネットワーク（通信網）や電話回線等の通信回路（通信線）にように情報を伝送する機能を有する媒体のことをいう。また、上記プログラムは、前述した機能の一部を実現するためのものであってもよい。さらに、前述した機能をコンピュータシステムにすでに記録されているプログラムとの組み合わせで実現できるもの、いわゆる差分ファイル（差分プログラム）であってもよい。
【００４２】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載がない何れの構成であっても、本願発明の作用・効果を奏する以上、本願発明の技術的思想の範囲内である。例えば、また、上記記載及び各図で示した実施形態は、その目的及び構成等に矛盾がない限り、互いの記載内容を組み合わせることが可能である。また、上記記載及び各図の記載内容は、その一部であっても、それぞれ独立した実施形態になり得るものであり、本発明の実施形態は上記記載及び各図を組み合わせた一つの実施形態に限定されるものではない。
【符号の説明】
【００４３】
１  オーダリングシステム          １０  管理装置（オーダコントローラ）
１１  ＣＰＵ                      １３  ＲＯＭ
１５  ＲＡＭ                      １７  表示部
１７ａ  ディスプレイ              １９  ハードディスク（記憶手段）
２１  操作部                      ２３  通信部
２５  再生手段                    ２７  バス
３０  会計装置（ＰＯＳ端末）      ３１  ＣＰＵ
３３  ハードディスク              ３５  ＲＯＭ
３７  ＲＡＭ                      ３９  表示部
４０  無線手段                    ４１  レシート印字部
４３  スキャナ部（読取手段、会計用情報読取手段）
４５  通信部                      ４７  操作部
４９  バス                        ５０  注文入力端末
５１  ＣＰＵ                      ５２  ＲＯＭ
５３  ＲＡＭ                      ５４  コードリーダ
５５  音声合成回路                ５５ａ  音声調整回路
５６  スピーカ                    ５７  無線通信部
５８  ＵＳＢ                      ５９  バッテリ
６０  ＬＥＤインジケータ          ６１  モーションセンサ
６２  ＮＦＣリーダ                ６３  バス
７０  厨房端末                    ７１  ＣＰＵ
７３  ＲＯＭ                      ７５  ＲＡＭ
７７  タッチパネル（表示兼操作部）７９  通信部
８０  アクセスポイント            ８１  バス
９０  携帯端末                    ９１  ＣＰＵ
９３  ＲＯＭ                      ９５  ＲＡＭ
９７  タッチパネル（表示手段兼操作手段）
９９  通信部                      １０１  操作ボタン部
１０３  バス                      １２０  ＬＡＮ
１３０  外部ネットワーク          ２００  メニューシート
２０１  メニューエリア            ２０３  ファンクションキーエリア
２０５  音声合成回路              ２５０  商品ファイル
３００  音声ファイル              Ｇ１  イメージデータ
Ｇ２  コード情報データ            Ｒ１，Ｒ２，Ｒ３  特定領域
Ｓ１  紐付け確認画面
【図１】
2018088072.tif 000003
【図２】
2018088072.tif 000004
【図３】
2018088072.tif 000005
【図４】
2018088072.tif 000006
【図５】
2018088072.tif 000007
【図６】
2018088072.tif 000008
【図７】
2018088072.tif 000009
【図８】
2018088072.tif 000010
【図９】
2018088072.tif 000011
【図１０】
2018088072.tif 000012
【図１１】
2018088072.tif 000013
【図１２】
2018088072.tif 000014
【図１３】
2018088072.tif 000015
【図１４】
2018088072.tif 000016
【図１５】
2018088072.tif 000017
【図１６】
2018088072.tif 000018